(57)【要約】【課題】高速電力線通信において小型化されたブロッキングフィルターを提供することにより、手軽に配電盤、需要者終端の電源コンセント及びモデムの内部にブロッキングフィルターを設置し、通信信号の安定性及び保安性を増大させることができるブロッキングフィルターを提供する。【解決手段】本発明は広帯域ブロッキングフィルターに関するものであって、高電力用インダクター及びキャパシターと、前記のインダクター及び前記のキャパシターを電気的に接続させる回路パターンと、前記のインダクター及び前記のキャパシターが配置され、前記の回路パターンが形成される印刷回路基板と、前記の印刷回路基板を収納するケースと、を含んで構成されることを特徴とする。【選択図】図４
2008118658.tif 000002
【特許請求の範囲】
【請求項１】
高電力用インダクター及びキャパシターと、
前記インダクター及び前記キャパシターを電気的に接続させる回路パターンと、
前記インダクター及び前記キャパシターが配置され、前記回路パターンが形成される印刷回路基板と、
前記印刷回路基板を収納するケースと、を含んで構成されることを特徴とする、広帯域ブロッキングフィルター。
【請求項２】
前記キャパシターと並列に接続される抵抗を、さらに含むことを特徴とする、請求項１記載の広帯域ブロッキングフィルター。
【請求項３】
前記印刷回路基板の大きさは、
横の長さは１２〜１９ｃｍ、及び
縦の長さが４〜１０ｃｍであることを特徴とする、請求項１記載の広帯域ブロッキングフィルター。
【請求項４】
前記ケースは、
横及び縦の長さが前記印刷回路基板の横及び縦の長さ以上に形成され、
高さが２〜１５ｃｍであることを特徴とする、請求項１記載の広帯域ブロッキングフィルター。
【請求項５】
前記インダクター及びキャパシターはローパスフィルターとして動作し、
前記ローパスフィルターが音声、文字及び映像データの少なくとも一つが乗せられた２〜３０ＭＨｚの周波数帯域の通信信号をフィルターリングすることを特徴とする、請求項１記載の広帯域ブロッキングフィルター。
【請求項６】
前記キャパシター及び抵抗はローパスフィルターとして動作し、
前記ローパスフィルターが音声、文字及び映像データの少なくとも一つが乗せられた２〜３０ＭＨｚの周波数帯域の通信信号をフィルターリングをすることを特徴とする、請求項２記載の広帯域ブロッキングフィルター。
【請求項７】
前記ローパスフィルターは、
抵抗とキャパシターが並列に連結され、外部装置の接続に応じて変化するインピーダンス値をマッチングさせるインピーダンスマッチング回路をさらに備えることを特徴とする請求項５または６記載の広帯域ブロッキングフィルター。
【請求項８】
前記インダクターは、
円筒形フェライトの外周面にコイルをつる巻き状に形成したことを特徴とする、請求項１記載の広帯域ブロッキングフィルター。
【請求項９】
高電力の信号が移動する経路を提供する電力線と、
前記電力線に通信的に連結された多数のサブネットワークと、
前記サブネットワークの終端に設置され、前記電力線を通じて前記それぞれのサブネットワークで送受信される通信信号の流れを遮断するブロッキングフィルターと、を備えることを特徴とする、広帯域ブロッキングフィルターリングシステム。
【請求項１０】
前記サブネットワークは、
街灯に流れる電流を制御する街灯安定器と、
前記ブロッキングフィルターを備える配電盤、分電盤、または電力線モデムであることを特徴とする、請求項９記載の広帯域ブロッキングフィルターリングシステム。
【請求項１１】
前記ブロッキングフィルターは、
音声、文字及び映像データの少なくとも一つが乗せられた２〜３０ＭＨｚの周波数帯域の通信信号をフィルターリングすることを特徴とする、請求項９記載の広帯域ブロッキングフィルターリングシステム。
【発明の詳細な説明】
【技術分野】
【０００１】
本発明はブロッキングフィルターに関するものであって、特にサブネットワーク間の通信信号の流れを制御し、家庭やオフィスの配電盤に設置できる広帯域高電圧用のブロッキングフィルターに関するものである。
【背景技術】
【０００２】
高速電力線通信(Power Line Communication、以下ＰＬＣ)は、殆どの家庭やオフィスなどに既に普及されている電力線を使用して数百ＫＨｚ〜数十ＭＨｚ以上の高周波信号を送受信する。このような高速電力線通信は、超高速インターネット回線への接続及び電話回線への接続が可能であり、音声、文字及び映像データ等を伝送することができる。
【０００３】
高速電力線通信の最も大きな長所は、他の有線ネットワーク方式とは異なり追加の配線工事を行わなくても、既に敷設されている電力線を利用してネットワークを構築することができ、通信網が設置されていない場所でも超高速インターネット回線への接続及び電話回線への接続が可能な点である。
【０００４】
一方、高速電力線通信の短所は、高速電力線通信にあって多数の電力線ネットワークを形成することができるため、意図しない一つのネットワークと他のネットワークが通信的に連結されてしまうことにある。即ち、電力線を利用して高速電力線通信をするＡ世帯、Ｂ世帯及びＣ世帯は、同一のプロトコールのネットワークを形成しており、一つの電力線により通信的に連結される。このように一つの電力線で通信的に各世帯が連結されている場合であって、Ａ世帯に設置されたモデムに音声、文字及び映像データのうち少なくとも一つを含む通信信号が伝送されるとき、電力線を通じてＢ世帯またはＣ世帯に通信信号が漏洩するおそれがある。すなわちＡ世帯に伝送される通信信号は、保安性及び安定性に劣るばかりでなく、通信信号の歪曲、伝送遅延及び帯域幅の減殺などの問題がある。
【０００５】
また、電力線を利用して高速電力線通信をする家庭やオフィスは、近くに設置された街灯に同じ電力線で連結されているため、街灯線路及び安定器から発散する電磁波が、家庭やオフィスに伝送される通信信号にノイズとして作用することにより、通信信号が歪曲され、また帯域幅が減殺されるといった問題がある。
【０００６】
このような問題を解決できるブロッキングフィルターは開発されているが、家庭やオフィスに設置するには相当な面積を占める大きさであり、仮に家庭やオフィスに設置した場合には美観上や安全上の問題が発生するため、一般需要者の購買意欲は低い。
【０００７】
また、従来のブロッキングフィルターは、戸外の環境で使用され、高電圧を用いる電力線用のものであった。そのため、インダクター及びキャパシターのサイズは非常に大きいものであった。
【０００８】
従って、高速電力線通信に適用可能で、且つ家庭やオフィスの配電盤に設置できる適切な大きさのブロッキングフィルターが求められている。
【０００９】
【特許文献１】韓国実用新案出願公開第１９９２−００７１２９号明細書
【特許文献２】特開２００３−０６９７２８号公報
【特許文献３】特開２００３−１７４３４９号公報
【特許文献４】特開２００５−２０３９１５号公報
【特許文献５】特開２００５−２０３９１６号公報
【発明の開示】
【発明が解決しようとする課題】
【００１０】
本発明の目的は、上述する問題を解決するためのものであり、高速電力線通信において小型化されたブロッキングフィルターを提供することにより、手軽に配電盤、需要者終端の電源コンセント及びモデムの内部にブロッキングフィルターを設置し、通信信号の安定性及び保安性を増大させることができるブロッキングフィルターを提供することにある。また、屋内用の比較的電圧の低い環境下での使用に適するものを提供する。
【００１１】
本発明の他の目的は、高速電力線通信をする場所における熱効率に優れており、高電力の流れる回路に使用され得るインダクターを備えたブロッキングフィルターを提供することにある。
【課題を解決するための手段】
【００１２】
前記目的を達成するために、本発明の実施例に係る広帯域ブロッキングフィルターは、高電力用インダクター及びキャパシターと、前記インダクター及びキャパシターを電気的に接続させる回路パターンと、前記インダクター及び前記キャパシターが配置され、前記回路パターンが形成される印刷回路基板と、前記印刷回路基板を収納するケースと、を含んで構成されることを特徴とする。
【００１３】
前記目的を達成するために、本発明の実施例に係る広帯域ブロッキングフィルターリングシステムは、高電力の信号が移動する経路を提供する電力線と、前記電力線に通信的に連結された多数のサブネットワークと、前記サブネットワークの終端に設置され、前記電力線を通じて前記それぞれのサブネットワークで送受信される通信信号の流れを遮断するブロッキングフィルターと、を備えることを特徴とする。
【発明の効果】
【００１４】
本発明の実施例に係る広帯域ブロッキングフィルターによれば、高速電力線通信をする場所において、電源コンセント、配電盤にブロッキングフィルターを設置することにより、通信的に連結されたネットワーク内の通信信号の流れを制御し、通信信号の安定性及び保安性を増大させることができる。
【００１５】
本発明の別の実施例に係る広帯域ブロッキングフィルターよれば、高速電力線通信をする場所において熱効率に優れ、高電力が流れる回路に使用できるインダクターを備えることができる。
【００１６】
なお、本発明の好適な実施例は例示の目的のために開示されたものであり、当業者であれば本発明の思想と範囲内で多様な修正、変更、付加などが可能であり、このような修正、変更などは特許請求の範囲に属するものとして見なさなければならない。
【発明を実施するための最良の形態】
【００１７】
以下、図面を参照しつつ、本発明の実施例について詳しく説明するが、以下の記載は、本発明の実施例を説明するためになされたもので、本発明はこれらの実施例に限定するものではない。また、同一若しくは同種類の要素については、同一若しくは関連性のある符号を用い、重複する説明は省略する。
【００１８】
図１及び図２は、本発明の実施例に係るブロッキングフィルターを備える高速電力線通信システムを概略的に示した図である。
【００１９】
図１を参照すると、第１サブネットワーク(101)、第２サブネットワーク(102)及び第３サブネットワーク(103)は、同一なプロトコールのネットワークであるため、通信的には第１電力線(200)と連結している。このような第１〜第３サブネットワーク(101〜103)は、第１電力線(200)と連結された側にブロッキングフィルター(190)を備えてサブネットワーク(101〜103)内の通信信号の流れを制御する。また、第１〜第３サブネットワーク(101〜103)は、ＩＳＰ(Internet Service Provider)で提供する専用線(300)と連結されている。
【００２０】
また、第１〜第３サブネットワーク(101〜103)は、安定器(105)による通信信号の歪曲及び帯域幅が減殺される現象を解決するため、ブロッキングフィルター(190)が設置されている。
【００２１】
図２に示すように、第１〜第３サブネットワーク(101〜103)は、街灯(104)と第1電力線(200)を介して連結している。したがって、街灯(104)の安定器(105)から発生する電磁波、及び街灯線路によるインピーダンスは、第１電力線を通じて第１〜第３サブネットワーク(101〜103)に流入し、通信信号の歪曲及び帯域幅の減殺をもたらす。このような第１〜第３サブネットワーク(101〜103)は、一側にブロッキングフィルター(190a)を備えることにより、安定器(105)から発生する前記電磁波及び街灯線路による前記インピーダンスを遮断している。
【００２２】
図３は、本発明の実施例に係るブロッキングフィルターが設置された第１〜第３サブネットワーク(101〜103)を概略的に示した図である。本発明の実施例に係る第１〜第３サブネットワーク(101〜103)は、各サブネットワークの構成が同一であるため、ここでは第１のサブネットワーク(101)のみを説明し、第２及び第３サブネットワーク(102及び103)の詳しい説明は省略する。第１サブネットワーク(101〜103)は、マスター装置(130)と、スレーブ装置(150)と、配電盤(170)を備える。
【００２３】
マスター装置(130)は、ＩＳＰで提供するＸＤＳＬ信号を受信するための専用線(300、図３には未図示)と直接連結される装置である。マスター装置(130)は、スレーブ装置(150)に通信信号を印加する。また、マスター装置(130)は、第１サブネットワーク(101)に備えられる配電盤(170)と連結されている。
【００２４】
スレーブ装置(150)は、マスター装置(130)と第２電力線(250)を介して連結されているので、マスター装置(130)に伝送された通信信号が印加される。また、スレーブ装置(150)は、第１サブネットワーク(101)に配置される配電盤(170)と連結されている。このようなスレーブ装置(150)は通信機器のものが好適である。
【００２５】
配電盤(170)は、ヒューズ(180)とブロッキングフィルター(190)から構成されている。
【００２６】
ヒューズ(180)は、一側が第１電力線(200)に連結され、他側がブロッキングフィルター(190)に連結されている。このようなヒューズ(180)は、第１サブネットワーク(101)の内部に設置された第２電力線(250)に、過電流が流れることを防止するための自動遮断機である。
【００２７】
ブロッキングフィルター(190)は、一側がヒューズ(180)に連結され、他側がマスター装置(130)及び少なくとも一つのスレーブ装置(150)に連結されている。ブロッキングフィルター(190)は、第１サブネットワーク(101)内の音声、文字及び映像データの少なくとも一つを含む通信信号が、第１電力線(200)を通じて第２サブネットワーク(102)及び第３サブネットワーク(103)に伝送されることを防止する役割を果たしている。すなわち、マスター装置(130)に伝送されてきた通信信号が第２電力線(250)を通じて少なくとも一つのスレーブ装置(150)に印加されるときに、ブロッキングフィルター(190)は、スレーブ装置(150)に連結した第１電力線(200)を通じて第２サブネットワーク(102)や第３サブネットワーク(103)に通信信号が漏洩することを防止している。逆に、ブロッキングフィルター(190)は、第２サブネットワーク(102)及び第３サブネットワーク(103)内の通信信号が第１電力線(200)を通じて第１サブネットワーク(101)に漏洩することを防止している。
【００２８】
ブロッキングフィルター(190)は、第１〜第４インダクター(L1〜L4)、第１及び第２キャパシター(C1及びC2)、第１〜第３抵抗(R1〜R3)が配置される印刷回路基板、印刷回路基板を実装するケースから構成される。このようなブロッキングフィルター(190)について、以下で詳しく説明する。
【００２９】
図４は、本発明の第１実施例に係るブロッキングフィルターの回路図である。ブロッキングフィルター(190a)は、第１交流ライン(AC_1)及び第２交流ライン(AC_2)間に配置される。第１交流ライン(AC_1)には、出力端から入力端に向かって、第１及び第２インダクター(L1、L2)が直列に配置されている。第１交流ライン(AC_1)の出力端(OUT_1)と第１インダクター(L1)との間には第１接点(N1)が設けられ、この第１接点(N1)と第１インダクター(L1)との間には第２接点(N2)が設けられている。また、第１インダクター(L1)と第２インダクター(L2)の間には、第１インダクター(L1)側から順に、第３接点(N3)、第４接点(N4)、及び第５接点(N5)が設けられている。さらに、第２交流ライン(AC_2)には、第１交流ライン(AC_1)と同様に、出力端から入力端に向かって、第３及び第４インダクター(L3、L4)が直列に配置されている。第２交流ライン(AC_2)の出力端(OUT_2)と第３インダクター(L3)との間には第６接点(N6)が設けられ、この第６接点(N6)と第３インダクター(L3)との間には第７接点(N7)が設けられている。また、第３インダクター(L3)と第４インダクター(L4)の間には、第３インダクター(L3)側から順に、第８接点(N8)、第９接点(N9)、及び第１０接点(N10)が設けられている。
【００３０】
第１接点(N1)と第６接点(N6)は第１キャパシター(C1)で接続され、第２接点(N2)と第７接点(N7)は第１抵抗(R1)でそれぞれ接続されている。また、第３接点(N3)〜第８接点(N8)、第４接点(N4)〜第９接点(N9)、第５接点(N5)〜第１０接点(N10)間は、それぞれ第２キャパシター(C2)、第２抵抗(R2)、第３抵抗(R3)で接続されている。
【００３１】
例えば、出力端から入力端に向かって第１及び第２インダクター(L1、L2)が直列に配置される第１交流ライン(AC_1)、及び、同様に出力端から入力端に向かって第３及び第４インダクター(L3、L4)が直列に配置される第２交流ライン(AC_2)において、前記第１及び第３インダクター(L1、L3)より出力端側にある、第１交流ライン(AC_1)上の出力端側から第１及び第2接点(N1、N2)と、第２交流ライン(AC_2)上の出力端側から第6及び第7接点(N6、N7)との間に、それぞれ第１キャパシター(C1)及び第１抵抗(R1)を接続する回路を用いることができる。さらに、前記第１及び第３インダクター(L1、L3)より入力端側であって、前記第２及び第４インダクター(L2、L4)より出力端側にある、第１交流ライン(AC_1)上の出力端側から第3、第4、及び第5接点(N3、N4、N5)と、第２交流ライン(AC_2)上の出力端側から第8、第9、及び第10接点(N8、N9、N10)との間に、それぞれ第２キャパシター(C2)、第２抵抗(R2)、及び第３抵抗(R3)を接続する回路を用いることができる。
【００３２】
このブロッキングフィルター(190a)は、単相回路であるため、第１交流ライン(AC_1)または第２交流ライン(AC_2)のどちらか一方が電源線となり、他方が中性線となる。すなわち、第１交流ライン(AC_1)が電源線となれば第２交流ライン(AC_2)が中性線となるので、第２交流ライン(AC_2)は仮想接地線(GND_line)として作用する。また、第２交流ライン(AC_2)が電源線となれば第１交流ライン(AC_1)が中性線となるので、第１交流ライン(AC_1)は仮想接地線(GND_line)として作用する。
【００３３】
図５は、第２交流ライン(AC_2)が仮想接地線(GND_line)となる場合の回路図である。当該ブロッキングフィルター(190a)回路は、第１及び第２キャパシター(C1、C2)、第１及び第２インダクター(L1、L2)、第１〜第３抵抗(R1〜R3)から構成されている。
【００３４】
このとき、第１キャパシター(C1)及び第１インダクター(L1)は、第１ローパスフィルター(Low Pass Filter、以下ＬＰＦ)を構成する。また、第２キャパシター(C2)及び第２インダクター(L2)は、第２ＬＰＦを構成する。第１キャパシター(C1)は高周波成分を通過させ、第１インダクター(L1)は低周波成分を通過させる。
【００３５】
第１ＬＰＦは、このような第１キャパシター(C1)及び第１インダクター(L1)の性質を利用することにより、第１サブネットワーク(101)内の第２電力線(250)を通じてスレーブ装置(150)に送受信される２〜３０ＭＨｚの周波数帯域の通信信号を遮断することができる。また、第２ＬＰＦも第１ＬＰＦと同様な役割を果たしている。したがって、音声、文字及び映像データの少なくとも一つを含んだ通信信号を電力線を利用して送受信するときは、一般的に２〜３０ＭＨｚの周波数帯域に乗せて送られているが、第１交流ライン(AC_1)の出力端(OUT_1)から入力端(IN)方向に流れる２〜３０ＭＨｚの周波数帯域の通信信号は、第１ＬＰＦ及び第２ＬＰＦを通じて２ＭＨｚ以上の周波数帯域の成分がフィルターリングされる。このように、第１ＬＰＦ及び第２ＬＰＦを通過する通信信号は、通信信号の乗せられた２ＭＨｚ以上の周波数帯域成分は阻止されて通過できず、２ＭＨｚ以下の周波数帯域成分だけが入力端(IN)に流入する。なお、入力端(IN)に流入する２ＭＨｚ以下の周波数帯域成分は、第２及び第３サブネットワーク(102及び103)に流入しても、通信信号の保安性及び安定性には特に影響を及ぼさない。
【００３６】
また、第１キャパシター(C1)及び第２キャパシター(C2)に残留した通信信号は、第１ＬＰＦ及び第２ＬＰＦを通過する通信信号がフィルターリングされることを妨害するので、第１キャパシター(C1)と並列に第１抵抗(R1)を配置し、また、第２キャパシター(C2)と並列に第２抵抗(R2)及び第３抵抗(R3)を配置している。このように配置して、第１キャパシター(C1)に残留した通信信号を第１抵抗(R1)に流すことにより除去し、第２キャパシター(C2)に残留した通信信号を第２抵抗(R2)及び第３抵抗(R3)に流すことにより除去している。第１抵抗(R1)値は、第２抵抗(R2)及び第３抵抗(R3)の合成値と同一なものが好ましいため、第１抵抗(R1)と第２抵抗(R2)の値が同一であれば、第３抵抗(R3)はブロッキングフィルター回路で除外することができる。
【００３７】
図６は、第１交流ライン(AC_1)が仮想接地線(GND_line)となる場合の回路図である。当該回路は、第２交流ライン(AC_2)が仮想接地線(GND_line)となる前記回路と同様に作動する。このとき、第１キャパシター(C1)と第３インダクター(L3)は、第１ＬＰＦを構成する。また、第２キャパシター(C2)と第４インダクター(L4)は、第２ＬＰＦを構成する。その他の構成要素及び動作は、第２交流ライン(AC_2)が仮想接地線(GND_line)の前記回路（図５参照）と同様であるため、詳細な説明を省略する。
【００３８】
図７は、本発明の実施例に係る広帯域ブロッキングフィルターに備えられるインダクターを示した斜視図である。ブロッキングフィルター(190a)に備えられている第１〜第４インダクター(L1〜L4)は、ブロッキングフィルター(190a)に備えられ、円筒形をしたフェライト(192)の外周面にコイル(194)を、つる巻き状に何巻も巻いたインダクターであって、巻数に応じてインダクター(L)の値が変わる。このようなインダクター(L1〜L4)は、高電力が流れる回路に使用され得るが、特に、５０アンペアが流れる回路に適用することができるだけでなく、従来に使用されていた環状の磁石にコイルが巻かれたインダクターより熱効率が改善される。
【００３９】
図８は、本発明の第１実施例に係るブロッキングフィルターの実際の大きさを概略的に示すための図である。ブロッキングフィルター(190a)は、通常のタバコの箱より大きい。しかし、従来、使用されていたブロッキングフィルターに比べて相当に小型化されているので、携帯に簡便な大きさであり軽量化されている。ブロッキングフィルター(190a)はケースに実装される印刷回路基板の大きさに応じて決定されるが、印刷回路基板の大きさは横１９ｃｍ、縦１０ｃｍ、高さ１５ｃｍに形成されることが好ましい。従って、ブロッキングフィルター(190a)のケースは、印刷回路基板が収納されるとき、印刷回路基板に配置されたインダクター、キャパシター及び抵抗が外部に突出しないように印刷回路基板の大きさ以上に形成されるので、ブロッキングフィルター(190a)のケースの内部空間は、横１９ｃｍ、縦１０ｃｍ、高さ１５ｃｍに形成され、印刷回路基板を収納したときに揺れないようにすることが好ましい。このように本発明の実施例に係るブロッキングフィルター(190a)は、配電盤、分電盤または電力線モデムの内にも設置できるように小型化され、携帯が簡便であるため、家庭やオフィスに設置することができる。
【００４０】
図９は、本発明の第２実施例に係るブロッキングフィルターの回路図である。本発明の第２実施例に係るブロッキングフィルター(190b)は、家庭用プラグに直接差し込んで使用できるコネクターである（図１１及び図１２参照）。ブロッキングフィルター(190b)は、入力端(AC IN)に家庭用コンセント(不図示)に連結されるためのプラグ(300)を備え、出力端(AC OUT)に電力線モデムと連結するためのコンセント(400)を備える。
【００４１】
ブロッキングフィルター(190b)のブロッキングフィルター回路は、単相電源を使用するための回路であって、プラグ(300)から分岐される一方の交流電源線(AC Line)には、交流電源線(AC Line)の過電流から内部回路を保護するためのヒューズ(FUSE)及び第１インダクター(L1)が直列に連結される。また、他方の中性線(Neutral line)には、第２インダクター(L2)が連結される。さらに、第１及び第２インダクター(L1、L2)と出力端となるコンセント(400)との間には、ローパスフィルター(ＬＰＦ)用のキャパシター(C1)、第１抵抗(R1)、及び第３抵抗(R3)に直列に連結したインピーダンスマッチング回路(500)が介装されている。これらにより、交流電源線(AC Line)と中性線(Neutral line)間を、並列接続している。
【００４２】
ここで、インピーダンスマッチング回路(500)は、並列に接続された抵抗（R2）及びキャパシター（C2）を含む。このように、交流電源線(AC Line)及び中性線(Neutral line)の間に並列に接続されたキャパシター(C1)、第１抵抗(R1)、並びに、第３抵抗(R3)及びインピーダンスマッチング回路(500)を含んでよい。
【００４３】
前記インピーダンスマッチング回路(500)は、第３抵抗(R3)に直列に接続されて、第１インダクター(L1)からコンセント(400)間に設けられた第１ノード(N1)と、第２インダクター(L2)からコンセント(400)間に設けられた第２ノード(N2)との間に、接続されている。インピーダンスマッチング回路(500)は、前記コンセント(400)に連結される外部装置(電力線モデム、電気電子製品等)により可変するインピーダンス値をマッチングする。
【００４４】
図１０〜図１２は、本発明の第２実施例に係るブロッキングフィルター(190b)の実際の具現例である。そのうち図１０は、図９のブロッキングフィルター回路が実際に適用された模様を示した図である。図１１及び図１２は、本発明の第２実施例に係るブロッキングフィルターの外形を示した図である。このようなブロッキングフィルター(190b)は、第１実施例に記載したように、一つの電力線を通じて連結される他の外部サブネットワークに流出する２〜３０ＭＨｚ帯の周波数信号を遮断するとともに、電力線に連結された一般の電気電子製品から発生するノイズを遮断し、可変的なインピーダンスの変化を遮断させて安定的な電力線の線路環境を提供する。
【００４５】
図１３は、本発明の第３実施例に係るブロッキングフィルターの回路図である。図１４は、図１３の回路が適用されたブロッキングフィルターの実際の具現例である。本発明の第３実施例に係るブロッキングフィルター(190c)の回路は、直列型と同様に単相電力を使用する。ブロッキングフィルター(190c)の回路は、交流電源線(AC Line)と中性線(Neutral Line)をつなぐ一つの線路に形成される第１ノード(N1)及び第２ノード(N2)と、平滑キャパシター(C1)と、ローパスフィルター(ＬＰＦ)から構成されている。
【００４６】
平滑キャパシター(C1)は、第１ノード(N1)と第２ノード(N2)との間に連結されて、外部から引き入られるノイズを除去する。
【００４７】
ローパスフィルター(ＬＰＦ)は、第１ノード(N1)と第２ノード(N2)で、交流電源線(AC Line)と中性線(Neutral Line)に連結される。ローパスフィルター(ＬＰＦ)は、ＲＣフィルター回路であって、第１及び第２実施例で説明したように、２〜３０ＭＨｚ帯域の周波数信号をフィルターリングする。
【００４８】
なお、ブロッキングフィルター(190c)には、第２実施例で説明した直列型のブロッキングフィルター(190b)と同様に、外部のインピーダンスをマッチングするためのインピーダンスマッチング回路(500)を追加することができる。
【００４９】
ブロッキングフィルター(190c)は、第２実施例に係る直列型のブロッキングフィルタ(190b)の設置問題点を解決するためのものである。一般的に、電力線モデム及びブロッキングフィルターのような電力線通信装備の設置は、装備の誤作動、ネットワークの設定時に歪曲信号の引き入れなどを防ぐために、電力線の電源を遮断してから装備を設置している。しかし、本発明の第３実施例に係るブロッキングフィルター(190c)は、電力を遮断せず設置することができるので、電源遮断が不可能な条件で設置することができる。さらに、小型化と共に接触部(600)を高性能磁石で処理することにより、設置をさらに簡単化でき、設置位置や大きさの問題が解決できる。
【００５０】
図１５及び図１６は、本発明の実施例に関し、サブネットワークに入力される通信信号の多様な形態を示したグラフである。そのうち図１５は、第１〜第３サブネットワーク(101〜103)にブロッキングフィルター(190a)を設置する前のグラフであり、図１６は、ブロッキングフィルター(190a)を設置した後のグラフである。図１５及び図１６の左側のグラフは、通信信号の周波数解析を表す。これらのグラフの縦軸及び横軸は、それぞれ振幅及び周波数を示す。図１５及び図１６の右側のグラフは、通信信号の経時変化の解析を表す。これらのグラフの縦軸及び横軸は、それぞれ振幅及び時間を示す。
【００５１】
図１５に図示するように、第１〜第３サブネットワーク(101〜103)は、街灯(104)線路及び安定器(105)による干渉で、音声、文字及び映像データの少なくとも一つを含む２〜３０ＭＨｚの周波数帯域の通信信号にノイズが発生し、通信信号の帯域幅が減殺したことが確認できる。これに対して図１６に図示するように、第１〜第３サブネットワーク(101〜103)は、第１〜第３サブネットワーク(101〜103)にブロッキングフィルター(190a)を設置することにより、街灯線路及び安定器の干渉による入力通信信号の歪曲及び帯域幅の減殺を防止できることが確認できる。
【００５２】
このように本発明の実施例に係るブロッキングフィルターは、家庭やオフィス内の通信信号の保安性及び安定性の信頼度が向上するだけでなく、２〜３０ＭＨｚの周波数帯域で街灯線路及び安定器によるノイズの発生及び帯域幅の減殺現象を除去することができる。
【図面の簡単な説明】
【００５３】
【図１】本発明の第１実施例に係るブロッキングフィルターを備える高速電力線通信システムを概略的に示した図。
【図２】本発明の第1実施例に係るブロッキングフィルターを備える高速電力線通信システムを概略的に示した図。
【図３】図１または図２に図示されたサブネットワークを概略的に示した例示図。
【図４】図３に図示されたブロッキングフィルター回路図。
【図５】図４に図示されたブロッキングフィルター回路が多様に駆動されることを示す回路図等。
【図６】図４に図示されたブロッキングフィルター回路が多様に駆動されることを示す回路図等。
【図７】図４に図示されたブロッキングフィルター回路図に配置されるインダクターを概略的に示した図。
【図８】本発明の第１実施例に係るブロッキングフィルターの実際の大きさを概略的に示した例示図。
【図９】本発明の第２実施例に係るブロッキングフィルター回路図。
【図１０】本発明の第２実施例に係るブロッキングフィルター回路が実際に適用された模様を示す図。
【図１１】本発明の第２実施例に係るブロッキングフィルターの外形を示した図。
【図１２】本発明の第２実施例に係るブロッキングフィルターの外形を示した図。
【図１３】本発明の第３実施例に係るブロッキングフィルター回路図。
【図１４】図１３の回路が適用されたブロッキングフィルターの実際の具現例を示した図。
【図１５】本発明の実施例に係るブロッキングフィルターの効果を示した図。
【図１６】本発明の実施例に係るブロッキングフィルターの効果を示した図。
【符号の説明】
【００５４】
100：サブネットワーク
130：マスター装置
150：スレーブ装置
170：配電盤
190(190a、190b、190c)：ブロッキングフィルター
200：第１電力線
250：第２電力線
300：プラグ、専用線
400：コンセント
500：インピーダンスマッチング回路
600：接触部
【図１】
2008118658.tif 000003
【図２】
2008118658.tif 000004
【図３】
2008118658.tif 000005
【図４】
2008118658.tif 000006
【図５】
2008118658.tif 000007
【図６】
2008118658.tif 000008
【図７】
2008118658.tif 000009
【図９】
2008118658.tif 000010
【図１３】
2008118658.tif 000011
【図１５】
2008118658.tif 000012
【図１６】
2008118658.tif 000013
【図８】
2008118658.tif 000014
【図１０】
2008118658.tif 000015
【図１１】
2008118658.tif 000016
【図１２】
2008118658.tif 000017
【図１４】
2008118658.tif 000018